(57)【要約】【課題】  部屋を区画する間仕切りであって、案内レールに案内されて移動自在で、操作性の良好な移動式間仕切りを提供する。【解決手段】  二枚のパネル１ａの対向する召し合わせ框１ａｆを連結板１０で連結させて、それぞれの召し合わせ框１ａｆに被せられる召し合わせ框キャップ１１に歯部１１ｃを設けて噛合させる。召し合わせ框キャップ１１は連結板１０に連繋させた軸部材１２の軸部１２ｂを中心として回動自在とする。それぞれの召し合わせ框キャップ１１の軸部１２ｂを中心とした回動は、歯部１１ｃの噛合によって同期して行われる。一方の召し合わせ框キャップ１１には係合部１６ａを、他方の召し合わせ框キャップ１１には係合受け部１６ｂを設けて、二枚のパネル１ａが伸張状態にある場合にこれらが係合して、伸張状態を維持する。【選択図】        図１
2020190177.tif 000002
【特許請求の範囲】
【請求項１】
複数のパネルが折り畳まれた折り畳み状態と、折り畳まれていない伸張状態との間で変位自在な移動式間仕切りにおいて、
前記パネルの隣接しているパネルの対向している一対の縦框に連繋して、それぞれの縦框を変位可能に支持する連結板を有し、
前記一対の縦框を互いに噛合させたことを特徴とする移動式間仕切り。
【請求項２】
請求項１に記載の移動式間仕切りであって、
前記連結板の端部に連繋して配される２本の軸部を備えた軸部材と、
前記縦框のそれぞれの上下の端部に縦框と一体的に連繋して配され、前記軸部材の軸部が各別に遊挿される軸穴が形成されると共に、外周面に互いに噛合する歯部が形成された一対の縦框キャップと、
からなり、
前記縦框キャップが軸部材の軸部を中心に回動することを特徴とする移動式間仕切り。
【請求項３】
複数のパネルが折り畳まれた折り畳み状態と、折り畳まれていない伸張状態との間で変位自在な移動式間仕切りにおいて、
前記パネルを保持し、一対のパネルの対向する縦框のそれぞれに設けられて、一対のパネルの動作を、一端側で案内し、他端側同士が折り畳み状態で離隔し、伸張状態で接近する縦框キャップを有し、
前記複数のパネルが伸張状態にある場合において、
前記動作の案内を果たす前記一端側から他端側の端部に掛けて拡開させて、挟み込み防止間隙を設けたことを特徴とする移動式間仕切り。
【請求項４】
請求項３に記載の移動式間仕切りであって、
前記複数のパネルが伸張状態にある場合において、
前記動作の案内を果たす一対の縦框キャップの一端側から他端側の端部に向けて適宜な位置まで密着する内側平面と、
前記他端側の端部から前記一端側の端部に向けて適宜な位置まで平行となる外側平面と、
前記内側平面と外側平面のそれぞれの中央部側の端部に連続した傾斜面と、
を設け、
前記傾斜面と外側平面との間部分で前記挟み込み防止間隙が形成されていることを特徴とする移動式間仕切り。
【請求項５】
請求項１から請求項４までのいずれか一項に記載の移動式間仕切りであって、
前記縦框と前記連結板とは、
前記縦框または連結板のいずれか一方に設けた抱持部と、
前記縦框または連結板の他方に設けた、前記抱持部に抱持されて、該縦框の変位時には該抱持部内における位置が変位する被抱持部と、
を介して連繋していることを特徴とする移動式間仕切り。
【請求項６】
請求項５に記載の移動式間仕切りであって、
前記抱持部は、中空の渦巻き形状で形成され、
前記被抱持部は、中実の渦巻き形状で形成され、
中実の渦巻き形が中空の渦巻き形内を移動して、抱持部内における被抱持部の位置が変位することを特徴とする移動式間仕切り。
【請求項７】
請求項１から請求項６までのいずれか一項に記載の移動式間仕切りであって、
パネルが伸張状態にある場合に、係脱自在に縦框同士を係止する係止手段を備えていることを特徴とする移動式間仕切り。
【請求項８】
請求項１から請求項７までのいずれか一項に記載の移動式間仕切りであって、
前記縦框の背後側の左右端縁部のうちの、少なくとも前記連結板が配されている側とは反対側の端縁部に、背後方向に突出させた指掛け部が形成されていることを特徴とする移動式間仕切り。
【発明の詳細な説明】
【技術分野】
【０００１】
この発明は、案内レール等により案内される移動式間仕切りに関する。
【背景技術】
【０００２】
例えば、広い部屋を広い状態で利用したり、二部屋に区画した状態で利用したりすることができるように、間仕切りが用いられることがある。当初からこのような利用に供することで設計される場合には、天井や床に案内レールを敷設して、この案内レールに案内されて移動できるようにすることがある。
【０００３】
この種の間仕切りには、例えば、特許文献１に、折り戸障子同士の連結等に使用することができる、隣接するふたつの形材をそれぞれ回動自在に連結する連結部材を介して、両形材を互いに回動自在に連結する部材の接続構造として、前記連結部材はその両端部が前記両形材の開口部内にそれぞれ収容される構造が開示されている。
【先行技術文献】
【特許文献】
【０００４】
【特許文献１】実開平４−１２３９８４号公報
【発明の概要】
【発明が解決しようとする課題】
【０００５】
特許文献１に開示された部材の接続構造では、隣接するふたつの形材は、連結部材に対して各別に回動することができるもので、一方の形材を操作して折り曲げようとした場合、他方の形材が連動しない。このため、展開した状態の形材を折り曲げたり、折り曲げられた状態の形材を展開させたりする操作を円滑に行えないおそれがある。
【０００６】
そこで、この発明は、部屋を区画する間仕切りであって、案内レールに案内されて移動自在で、操作性の良好な間仕切りを提供することを課題としている。
【課題を解決するための手段】
【０００７】
上記課題を解決するために、第１の観点によると、複数のパネルが折り畳まれた折り畳み状態と、折り畳まれていない伸張状態との間で変位自在な移動式間仕切りにおいて、前記パネルの隣接しているパネルの対向している一対の縦框に連繋して、それぞれの縦框を変位可能に支持する連結板を有し、前記一対の縦框を互いに噛合させたことを特徴としている。
【０００８】
また、本発明の他の側面は、上述の移動式間仕切りであって、前記連結板の端部に連繋して配される２本の軸部を備えた軸部材と、前記一対の縦框のそれぞれの上下の端部に縦框と一体的に連繋して配され、前記軸部材の軸部が各別に遊挿される軸穴が形成されると共に、外周面に互いに噛合する歯部が形成された一対の縦框キャップと、からなり、前記縦框キャップが軸部材の軸部を中心に回動することが好ましい。
【０００９】
また、本発明の他の側面は、上述の移動式間仕切りであって、複数のパネルが折り畳まれた折り畳み状態と、折り畳まれていない伸張状態との間で変位自在な移動式間仕切りにおいて、前記パネルを保持し、一対のパネルの対向する縦框のそれぞれに設けられて、一対のパネルの動作を、一端側で案内し、他端側同士が折り畳み状態で離隔し、伸張状態で接近する縦框キャップを有し、前記複数のパネルが伸張状態にある場合において、前記動作の案内を果たす前記一端側から他端側の端部に掛けて拡開させて、挟み込み防止間隙を設けたことを特徴としている。
【００１０】
また、本発明の他の側面は、上述の移動式間仕切りであって、前記複数のパネルが伸張状態にある場合において、前記動作の案内を果たす一対の縦框キャップの一端側から他端側の端部に向けて適宜な位置まで密着する内側平面と、前記他端側の端部から前記一端側の端部に向けて適宜な位置まで平行となる外側平面と、前記内側平面と外側平面のそれぞれの中央部側の端部に連続した傾斜面と、を設け、前記傾斜面と外側平面との間部分で前記挟み込み防止間隙が形成されることが好ましい。
【００１１】
また、本発明の他の側面は、上述の発明に係る移動式間仕切りであって、前記縦框と前記連結板とは、前記縦框または連結板のいずれか一方に設けた抱持部と、前記縦框または連結板の他方に設けた、前記抱持部に抱持されて、該縦框の変位時には該抱持部内における位置が変位する被抱持部と、を介して連繋させることが好ましい。
【００１２】
また、本発明の他の側面は、上述の発明に係る移動式間仕切りであって、前記抱持部は、中空の渦巻き形状で形成され、前記被抱持部は、中実の渦巻き形状で形成され、中実の渦巻き形が中空の渦巻き形内を移動して、抱持部内における被抱持部の位置が変位するようにすることが好ましい。
【００１３】
また、本発明の他の側面は、上述の発明に係る移動式間仕切りであって、パネルが伸張状態にある場合に、係脱自在に縦框同士を係止する係止手段を備えていることが好ましい。
【００１４】
また、本発明の他の側面は、上述の発明に係る移動式間仕切りであって、前記縦框の背後側の左右端縁部のうちの、少なくとも連結板が配されている側とは反対側の端縁部に、背後方向に突出させた指掛け部を形成することができる。
【発明の効果】
【００１５】
この発明に係る移動式間仕切りによれば、パネルを伸張状態とした際に、召し合わせ框を連結する連結板がパネルの側方に現れないから、間仕切りの外観を損なうことがない。
【図面の簡単な説明】
【００１６】
【図１】本発明に係る移動式間仕切りの一実施形態を示す斜視図であり、移動式間仕切りが折り戸からなる場合の、折られた状態の折り戸の上部を示す図である。
【図２】図１に示す折り戸の上部から、召し合わせ框キャップと軸部材を分離して示す分解斜視図である。
【図３】図２示す折り戸の上部から、さらに連結板を途中まで分離して示す分解斜視図である。
【図４】図１に示す折り戸の伸張状態にある場合を示す上部の斜視図である。
【図５】召し合わせ框キャップと軸部材とが連繋している状態の上方から見た斜視図であり、連結板の上部が併記されている。
【図６】図５に示す状態から、召し合わせ框キャップと軸部材とを分離して示す上方から見た斜視図であり、連結板の上部が併記されている。
【図７】図５に示す状態の下方から見た斜視図であり、連結板の上部が併記されている。
【図８】図６に示す状態の下方から見た斜視図であり、連結板の上部が併記されている。
【図９】召し合わせ框と連結板とを分離した状態を示した横断面図である。
【図１０】軸部材を示す図で、連結板と連繋する側である内側を示す斜視図である。
【図１１】伸張した状態にある折り戸の平面図で、召し合わせ框の部分を拡大して示している。
【図１２】折られた状態にある折り戸の平面図で、召し合わせ框の部分を拡大して示している。
【図１３】召し合わせ框の上部に被せられた召し合わせ框キャップの好ましい実施形態を示す平面図で、(Ａ)はパネルが折り畳み状態にある場合を、（Ｂ）、（Ｃ）の順で伸張状態に動作する変位状態を示し、（Ｄ）は伸張状態を示している。
【図１４】連結板と召し合わせ框との連繋を説明する召し合わせ框の横断面図で、伸張した状態にある召し合わせ框の部分を拡大して示している。
【図１５】連結板と召し合わせ框との連繋を説明する召し合わせ框の横断面図で、折られた状態にある召し合わせ框の部分を拡大して示している。
【図１６】召し合わせ框が連結板に対して揺動する状態を説明する図で、（Ａ）が伸張状態を示し、（Ｂ）、（Ｃ）の順で折り畳み状態へ動作する変位状態を示している。
【図１７】図１６に続く動作による変位状態を、（Ａ）、（Ｂ）、（Ｃ）の順で示してあり、（Ｃ）が折り畳み状態を示している。
【図１８】折り畳み状態にある召し合わせ框を示す斜視図で、召し合わせ框を伸張状態に維持する係止手段を説明する図である。
【図１９】縦框の横断面図であり、（Ａ）はパネルを移動させる前の状態を示し、（Ｂ）は手指で挟んでパネルを引き動かす状態を示し、（Ｃ）は指先を掛止させて押し動かす状態を示している。
【図２０】パネルの上下の框と上側案内レール、下側案内レールとを、パネルの中間部を省略して示す縦断面図であり、（Ａ）は通常の状態を、（Ｂ）は矢標Ｓ方向に力が加えられて、パネルが湾曲した状態を示している。
【図２１】図２０における上框と上側案内レールとの拡大図である。
【図２２】図２０における下框と下側案内レールとの拡大図である。
【図２３】ストッパ装置の第１の実施形態を示す分解斜視図で、縦框の下部が併記されている。
【図２４】第１の実施形態に係るストッパ装置のピン保持部材が移動許容位置にある状態を、正面側から見た斜視図である。
【図２５】第１の実施形態に係るストッパ装置のピン保持部材が移動許容位置にある状態を、背面側から見た斜視図である。
【図２６】第１の実施形態に係るストッパ装置のピン保持部材が移動阻止位置にある状態を、正面側から見た斜視図である。
【図２７】第１の実施形態に係るストッパ装置のピン保持部材が移動阻止位置にある状態を、背面側から見た斜視図である。
【図２８】第１の実施形態に係るストッパ装置のピン保持部材が移動阻止位置にある状態を示す正面図である。
【図２９】第１の実施形態に係るストッパ装置のピン保持部材が移動阻止位置にある状態を示す背面図である。
【図３０】ストッパ装置の第２の実施形態を示す分解斜視図で、縦框の下部が併記されている。
【図３１】第２の実施形態に係るストッパ装置のピン保持部材が移動許容位置にある状態を、正面側から見た斜視図である。
【図３２】第２の実施形態に係るストッパ装置のピン保持部材が移動許容位置にある状態を、背面側から見た斜視図である。
【図３３】第２の実施形態に係るストッパ装置のピン保持部材が移動阻止位置にある状態を、正面側から見た斜視図である。
【図３４】第２の実施形態に係るストッパ装置のピン保持部材が移動阻止位置にある状態を、背面側から見た斜視図である。
【図３５】下側案内レールが敷設されていない方式の引き戸に用いられるストッパ装置の床ガイドを示す斜視図である。
【図３６】下側案内レールが敷設されていない方式の引き戸に用いられるストッパ装置のパネルガイドを示す斜視図である。
【図３７】下側案内レールが敷設されていない方式の引き戸に用いられるストッパ装置を説明する図で、召し合わせ部の縦框の縦断面図である。
【図３８】開き戸の戸当り部の横断面図であり、（Ａ）には閉鎖時が、（Ｂ）には開放時が示されている。
【図３９】折り戸機能を備えると共に、伸張状態では引き戸機能を備えている移動式間仕切りを示す斜視図である。
【図４０】折り戸機能を備えている移動式間仕切りを示す斜視図である。
【図４１】引き戸機能を備えている移動式間仕切りを示す斜視図である。
【図４２】引き戸機能を備えている移動式間仕切りであって、下側案内レールを有しない吊り下げ式の移動式間仕切りを示す斜視図である。
【図４３】吊り下げ式の移動式間仕切りであって、部屋の壁面等と平行に沿わせて収納可能な移動式間仕切りを示す斜視図である。
【図４４】図４３に示す吊り下げ式の移動式間仕切りの開き戸となるパネルのヒンジ側となる縦框と上框、下框を分離して示す分解斜視図であり、縦框の中間部を省略して示している。
【発明を実施するための形態】
【００１７】
以下、この発明に係る移動式間仕切りの一実施形態を、図面を参照して具体的に説明する。
【００１８】
まず、この発明に係る移動式間仕切りの代表的な種類と構造を説明する。移動式間仕切りとしては、図３９〜図４３に示す構造を備えたものが知られている。また、図４４は、図４３に示す移動式間仕切りの開き戸のパネル５ａ１の支持構造を示している。
【００１９】
図３９に示す移動式間仕切り１は、二枚のパネル１ａ、１ａが一対とされて、この一対を構成する二枚のパネル１ａが、折り畳まれた折り畳み状態と、一枚の板状に伸張された伸張状態との間で変位する。それぞれのパネル１ａの上框１ａｔは上側案内レール１ｂと連繋しており、下框１ａｂは下側案内レール１ｃと連繋して、これらの案内レール１ｂ、１ｃに沿って移動自在とされている。なお、これら上側案内レール１ｂと下側案内レール１ｃとは、一対のそれぞれのパネル１ａに対しては共通であり、他の一対のパネル１ａとは異なっている。すなわち、パネル１ａの対ごとに連繋している案内レール１ｂ、１ｃが異なっている。また、パネル１ａの移動は、折り畳み状態と伸張状態のいずれの状態にある場合にも、自在とされている。すなわち、二枚のパネル１ａを折り畳むことで折り戸として使用できると共に、伸張状態にある場合には、引き戸として使用できる。このような折り戸と引き戸のいずれとしても使用できる移動式間仕切り１を、以下において、「折り戸・引き戸式」と称する。そして、全ての対のパネル１ａを伸張状態として並設させることにより、部屋を二部屋に区画する間仕切りとなる。さらに、全ての対のパネル１ａを折り畳み状態として、案内レール１ｂ、１ｃの一方または両方の端部に移動させることにより、最も広い間口となって、部屋を広く使用することができる。また、一の対のパネル１ａを折り畳み状態とし、他の対のパネル１ａを伸張状態として並設すると、折り畳み状態にある一の対のパネル１ａの部分が区画された部屋の通路として利用できる。また、二部屋に区画した状態では、引き戸機能を利用して出入りすることができる。なお、パネル１ａは、上框１ａｔと、下框１ａｂ、縦框のうちの隣接しているパネルが対向して召し合わせ部となる召し合わせ框１ａｆ、縦框１ａｐとを有している。
【００２０】
図４０に示す移動式間仕切り２は、二枚のパネル２ａが一対とされて、この一対を構成する二枚のパネル２ａが、折り畳まれた折り畳み状態と一枚の板状に伸張させた伸張状態との間で変位する。パネル２ａの上框２ａｔは上側案内レール２ｂと連繋しており、下框２ａｂは下側案内レール２ｃと連繋して、これらの案内レール２ｂ、２ｃに沿って移動することにより、パネル２ａが折り畳み状態と伸張状態との間で変位する。なお、これら上側案内レール２ｂと下側案内レール２ｃは全て対のパネル２ａに共用されており、したがって、引き戸としての機能を備えていない。このような折り戸としてのみ使用できる移動式間仕切り２を、以下において、「折り戸・折り戸式」と称する。そして、全ての対のパネル２ａを伸張状態とすると、部屋を二部屋に区画する間仕切りとなる。さらに、全ての対のパネル２ａを折り畳み状態として案内レール２ｂ、２ｃの一方または両方の端部に移動させることで、間口を最も開放させることができる。なお、パネル２ａは、上框２ａｔと下框２ａｂ、召し合わせ框２ａｆ、縦框２ａｐとを有している。
【００２１】
図４１に示す移動式間仕切り３は、一枚のパネル３ａによる引き戸である。パネル３ａの上框３ａｔは上側案内レール３ｂと連繋し、下框３ａｂは下側案内レール３ｃと連繋している。しかも、全てのパネル３ａは異なる案内レール３ｂ、３ｃに連繋している。このような引き戸としてのみ使用できる移動式間仕切り３を、以下において、「引き戸・引き戸式」を称する。そして、全てのパネル３ａが重ならないように配置させることにより、部屋を二部屋に区画する間仕切りとなる。また、全てのパネル３ａを重ねた状態とすることにより、重ねられたパネル３ａが袖壁として機能すると共に、パネル３ａが存しない部分が通路となる。なお、パネル３ａは上框３ａｔと下框３ａｂ、召し合わせ框３ａｆ、縦框３ａｐとを有している。
【００２２】
図４２に示す移動式間仕切り４は、一枚のパネル４ａによる引き戸である。パネル４ａは上框４ａｔが上側案内レール４ｂと連繋しているのに対して、下框４ａｂが連繋すべき下側案内レールが敷設されておらず、パネル４ａが上側案内レール４ｂに吊り下げられているものである。また、全てのパネル４ａは異なる上側案内レール４ｂに連繋している。このような下側案内レールが敷設されず、引き戸としてのみ使用できる移動式間仕切り４を、以下おいて、「ノンレール引き戸式」と称する。そして、全てのパネル４ａが重ならないように配置させることにより、部屋を二部屋に区画する間仕切りとなる。また、全てのパネル４ａを重ねた状態とすることにより、重ねられたパネル４ａが袖壁として機能すると共に、パネル４ａが存しない部分が通路となる。なお、パネル４ａは上框４ａｔと下框４ａｂ、召し合わせ框４ａｆ、縦框４ａｐとを備えている。
【００２３】
また、図４３に示す移動式間仕切り５は、一枚の開き戸となるパネル５ａ１を備え、他のパネル５ａは引き戸とされている。開き戸のパネル５ａ１は、壁際に配された後述する支持軸を中心に回動することにより、開閉する。また、他のパネル５ａを部屋の壁面と平行に沿わせる等によりパネル５ａ１と共に格納できる構造を備えている。このパネル５ａは上框５ａｔが上側案内レール５ｂと連繋しているのに対して、下框５ａｂが連繋する下側案内レールが敷設されていない、パネル５ａが上側案内レール５ｂに吊り下げられているものである。また、全てのパネル５ａは上側案内レール５ｂを共用している。この上側案内レール５ｂの途中に、収納案内レール５ｄが分岐されており、パネル５ａの上框５ａｔはこの収納案内レール５ｄにも連繋するようにしてある。収納案内レール５ｄは、上側案内レール５ｂから分岐した移動案内レール５ｄ１とこの移動案内レール５ｄ１の先端から上側案内レール５ｂに平行で、上側案内レール５ｂの端部であって収納案内レール５ｄが配されている側の端部の方向に延伸させた収納部レール５ｄ２とから構成されている。このため、パネル５ａの上框５ａｔの一方の端部を収納部レール５ｄ２に位置させ、他方の端部を上側案内レール５ｂの端部に位置させることにより、パネル５ａが上側案内レール５ｂとほぼ直角となって、部屋の壁面に平行に沿った状態となり、部屋の壁面に沿って格納される状態となる。なお、このパネル５ａを格納する移動式間仕切り５を、以下において「移動収納式」と称する。そして、全てのパネル５ａを上側案内レール５ｂに沿って引き出して、パネル５ａ１を閉鎖した状態では、部屋を二部屋に区画する間仕切りとなる。このとき、開き戸のパネル５ａ１を開放すれば通路とすることができる。なお、パネル５ａ、５ａ１は上框５ａｔと下框５ａｂ、召し合わせ框５ａｆ、縦框５ａｐとを備えている。開き戸となるパネル５ａ１の召し合わせ框５ａｆには、図３８に示すように、引き戸となるパネル５ａの召し合わせ框５ａｆに当接して、開き戸のパネル５ａ１を閉鎖位置に位置決めを行う戸当り框５ａｓが設けられている。
【００２４】
図４４は、開き戸のパネル５ａ１の回動を支持する構造を説明する分解斜視図である。上述したように、開き戸のパネル５ａ１は、開放状態と閉鎖状態との間で回動することになる。なお、図４４は、パネル５ａ１の縦框５ａｐと上框５ａｔ、下框５ａｂを示しており、上框５ａｔと下框５ａｂのそれぞれには、後述する隙間防止部材１４と隙間防止部材１５がそれぞれ取り付けられている。
開き戸のパネル５ａ１の回動軸側、すなわちヒンジ側となる縦框５ａｐの上部には上框５ａｔを連結させる上框連結金具５ａｐｔが取り付けられ、下部には下框５ａｂを連結させる下框連結金具５ａｐｂが取り付けられている。上框連結金具５ａｐｔは上框５ａｔに向かって突出した取付板部５ａｔ１を備え、下框連結金具５ａｐｂは下框５ａｂに向かって突出した取付板部５ａｂ１を備えている。これら取付板部５ａｔ１と取付板部５ａｂ１の先端部側に上框５ａｔと下框５ａｂのそれぞれが取り付けられる。
そして、下框連結金具５ａｐｂの取付板部５ａｂ１には下方を指向させて突出させた支持軸５ａｐａが支持されている。この支持軸５ａｐａの先端部は、部屋の床面に形成された図示しない軸穴に、該支持軸５ａｐａの軸を中心として回動自在に挿入される。
また、上框連結金具５ａｐｔの取付板部５ａｔ１には、支持軸５ａｐａと同軸とされた支持軸５ａｔａが、上方を指向させて突出した状態で支持され、この支持軸５ａｔａに回転自在に支持ローラ５ｂｒが支持されて、ランナーが構成されている。
また、上側案内レール５ｂと連繋している引き戸となるパネル５ａの上框５ａｔにも、支持ローラ５ｂｒと同様な支持ローラを備えたランナーが配されており、このランナーを介して上側案内レール５ｂと連繋している。この上框５ａｔを備えたパネル５ａは引き戸として上側案内レール５ｂに沿って移動する。
そして、上側案内レール５ｂは部屋の壁面に達するまで延伸させてあり、この上側案内レール５ｂの壁面側の端部に、支持ローラ５ｂｒを連繋させてある。これにより、パネル５ａ１の上側は支持ローラ５ｂｒにより、下側は支持軸５ａｐａにより回動自在に支持されることになる。すなわち、これら支持軸５ａｐａと支持軸５ａｔａを軸として回動することで、開き戸のパネル５ａ１が開閉することになる。
このように、下框連結金具５ａｐｂと上框連結金具５ａｐｔとに、支持軸５ａｐａと支持軸５ａｔａを設けてあり、縦框５ａｐにこれら支持軸５ａｐａと支持軸５ａｔａを設けていないので、この縦框５ａｐの横断面の形状を小さくできる。このため、パネル５ａ１を備えた開き戸の小型化を図って、移動式間仕切り５の小型化を図り、一般家屋に設置するのに適した小型の移動式間仕切り５とすることができる。
また、支持ローラ５ｂｒを設けずに支持軸５ａｔａを長くして、天井面に形成した軸穴にこの支持軸５ａｔａの先端部を挿入させる構造とすることもできる。この構造とする場合には、上側案内レール５ｂには軸穴と一致する位置に支持軸５ａｔａが貫通する透孔を形成しても、あるいは、上側案内レール５ｂを壁面まで延伸させずに、支持軸５ａｔａの支障とならない位置に端部を配しても構わない。
【００２５】
また、パネル５ａの召し合わせ框５ａｆと上側案内レール５ｂとを連繋させる構造と、縦框５ａｐと上側案内レール５ｂとを連繋させる構造にも上框連結金具５ａｐｔを用いることによって、これら召し合わせ框５ａｆと縦框５ａｐの横断面の形状を小さくできる。
さらに、他の形式の移動式間仕切りの縦框と上側案内レール、下側案内レールとを連繋させる構造にも、上框連結金具５ａｐｔと同様の構造の上框連結金具や下框連結金具を用いることができる。特に、「引き戸・引き戸式」と称する移動式間仕切り３のパネル３ａの縦框３ａｐと上側案内レール３ｂ、下側案内レール３ｃの連繋や、「ノンレール引き戸式」と称する移動式間仕切り４の縦框４ａｐと上側案内レール４ｂの連繋に用いることにより、これら縦框３ａｐと縦框４ａｐの横断面の形状を小さくできて、移動式間仕切り３や移動式間仕切り４の小型化を図ることができる。
また、「折り戸・引き戸式」と称する移動式間仕切り１と「折り戸・折り戸式」と称する移動式間仕切り２にも、上框連結金具５ａｐｔと同様の上框連結金具や下框連結金具を用いて、縦框１ａｐ、２ａｐと上側案内レール１ｂ、２ｂ、下側案内レール１ｃ、２ｃとを連繋させることができ、縦框１ａｐ、２ａｐの横断面の形状を小さくできる。このように、縦框１ａｐ、２ａｐを上框連結金具と下框連結金具とを介して上側案内レール１ｂ、２ｂ、下側案内レール１ｃ、２ｃに連係させる構造では、一対のパネル１ａ、パネル２ａが折り畳まれた状態では、これらパネル１ａ、パネル２ａが上側案内レール１ｂ、２ｂ、下側案内レール１ｃ、２ｃを挟んだ一方の側にのみ突出することになる。
【００２６】
（折り戸の折り畳み構造）
図３９に示す「折り戸・引き戸式」の移動式間仕切り１に用いられているパネル１ａは、一対のパネル１ａを、上下方向を軸として中央部で折り畳むことができて、折り畳み状態と伸張状態とに変位させることができる折り畳み構造を備えている。同様に、図４０に示す「折り戸・折り戸式」の移動式間仕切り２に用いられているパネル２ａも、一対のパネル２ａを、上下方向を軸として中央部で折り畳むことができて、折り畳み状態と伸張状態とに変位させることができる折り畳み構造を備えている。
図１〜図１８は一対のパネル１ａの折り畳み構造を示すものであるが、一対のパネル２ａが備えた折り畳み構造も同様の構造を備えている。
【００２７】
図１は折り畳みの途中の状態にあるパネル１ａの上部を示す斜視図であり、一対のパネル１ａが折り戸に組み立てられている状態を示している。また、図２と図３は、パネル１ａの上部の分解斜視図である。折り戸を構成する一対のパネル１ａは、召し合わせ框１ａｆ同士が対向して配置されている。なお、召し合わせ框１ａｆの対向して外側を指向している側を、一対のパネル１ａのいずれについても、前方側あるいは正面側とし、パネル１ａと連繋している側を後方側あるいは背面側とする。これら召し合わせ框１ａｆは、図３に示すように、これらの間位置であって、折り畳まれる状態で内側となる側に配される連結板１０を介して連繋されている。召し合わせ框１ａｆの上下の端部には、縦框キャップとしての召し合わせ框キャップ１１が被せられて、固定されている。また、連結板１０の上下の端部には軸部材１２が取り付けられる。このため、連結板１０はこの軸部材１２が取り付けられるスペースを確保できるように、召し合わせ框１ａｆよりも短く、しかも、この召し合わせ框キャップ１１の外側面は、召し合わせ框キャップ１１を被せた状態で、召し合わせ框１ａｆと上框１ａｔ、下框１ａｂとのそれぞれの外側面にほぼ一致する形状とされている。また、折り畳まれた状態で召し合わせ框１ａｆの外側に配される側面には、後述するように、ゴム等を素材として可撓性を備えた隙間防止部材１３が取り付けられている。そして、図４に示すように、パネル１ａが折り畳まれていない伸張状態にある場合には、これら隙間防止部材１３が召し合わせ框１ａｆの対向した部分に形成される隙間を覆い、連結板１０がこの隙間防止部材１３に隠される状態となる。
【００２８】
また、図１８に示すように、召し合わせ框１ａｆの、対向する正面の一方の面には一対の係合部１６ａが取り付けられ、他方の面にはこの係合部１６ａと係脱する係合受け部１６ｂが取り付けられている。そして、これら係合部１６ａと係合受け部１６ｂとにより係止手段が構成されている。
一対の係合部１６ａは、その間位置に係合受け部１６ｂを受け入れることができる距離を隔てて配されている。すなわち、一対の係合部１６ａの対向する面間の距離が係合受け部１６ｂの上下方向の長さとほぼ等しくされている。一対の係合部１６ａは有底の筒体で形成されており、この筒体の開口側が対向する状態に取り付けられている。一対の係合部１６ａのそれぞれには係合球１６ａ１が収容されており、また、筒体には図示しない押圧バネが収容されて、その復元力が、この係合球１６ａ１の一部が開口から突出するように付勢されている。
また、係合受け部１６ｂの上下の面には、係合部１６ａの開口から突出している係合球１６ａ１の一部を受け入れることができる、球体受容部１６ｂ１が設けられている。
なお、この実施形態では、係合部１６ａを一対として説明したが、いずれか一方のみであっても構わない。また、一対とする場合には、後述する作用をより確実に行わせることができるので、好ましい。また、これら係合部１６ａと係合受け部１６ｂとは、召し合わせ框１ａｆの長さ等に応じて適宜な数の組を設けることが好ましい。
また、図３９に示すように、パネル１ａは上下方向の中間部で上側中桟１ａｎと下側中桟１ａｍとの二本の中桟１ａｎ、１ａｍにより保持されている。そして、係合部１６ａと係合受け部１６ｂとは、これら中桟１ａｎ、１ａｍのうちの、容易に手が届かない位置にある上側中桟１ａｎを固定するためのビスによって召し合わせ框１ａｆに取り付けられている。下側中桟１ａｍに対応する位置にこれら係合部１６ａと係合受け部１６ｂが取り付けられる場合には、下側中桟１ａｍの高さが、パネル１ａを折り畳み状態と伸張状態と間で変位させる操作を行い易い位置にあるため、操作時に手指を挟んでしまうおそれが生じ、下側中桟１ａｍには係合部１６ａと係合受け部１６ｂは取り付けないことが好ましい。
なお、状況によっては、上側中桟１ａｎと連繋させることなく、召し合わせ框１ａｆに取り付けることでも構わない。
また、移動式間仕切り２のパネル２ａについても、同様に上側中桟２ａｎに対応させて係合部１６ａと係合受け部１６ｂとを取り付けることが好ましい。また、下側中桟２ａｍと連繋させることは、高さ位置の関係で好ましくないことは、移動式間仕切り１の場合と同様である。
【００２９】
図５〜図８は、連結板１０と召し合わせ框キャップ１１、軸部材１２との関係を示す斜視図であり、図５と図６は上方から見た斜視図で、図７と図８は下方から見た斜視図である。また、図９は連結板１０と召し合わせ框キャップ１１とを、分離して示す横断面図である。
連結板１０は、図９に示されているように、横断面がほぼ対称に形成されて、主体板１０ａに一対の抱持舌片１０ｂと一対の収容舌片１０ｄとが設けられている。主体板１０ａの外側の面はほぼ平面に形成されている。主体板１０ａの内側には側端部から内側に向かって突出すると共に、先端が中心側に向かって湾曲する抱持舌片１０ｂが設けられ、抱持舌片１０ｂの湾曲している内側の部分で抱持部１０ｃが形成されている。また、連結板１０の内側の中央部には適宜な間隔で、内側に向かって突出した一対の収容舌片１０ｄが設けられている。この収容舌片１０ｄは先端が側方に指向して伸長して、これら一対の収容舌片１０ｄの間隔が先端側にかけて徐々に大きくなっており、これら収容舌片１０ｄの中央側の面の間で形成されるほぼＶ字形の空間部が軸部材収容部１０ｅとされている。
【００３０】
収容舌片１０ｄの側方側の面は曲面で形成されて、この曲面による側面と抱持舌片１０ｂの湾曲している内側の面とにより上述の抱持部１０ｃが形成されている。なお、収容舌片１０ｄの側方側の曲面と抱持舌片１０ｂの湾曲している内側の面を連続させて渦巻き形状に形成することで、この抱持部１０ｃを、横断面が中空の渦巻き形状に形成することができる。そして、収容舌片１０ｄの先端部と抱持舌片１０ｂの先端部とが適宜に離隔して、抱持部１０ｃののど部１０ｆとされている。
【００３１】
一方、召し合わせ框１ａｆの前面の壁部であって、折り畳まれる際に内側となる側の端部には、抱持部１０ｃに連繋して抱持される被抱持部１０ｇが設けられている。この被抱持部１０ｇは、召し合わせ框１ａｆの前面から前方に首部１０ｇ１が突出し、この先端部が抱持部１０ｃに抱持される状態に巻かれた形状とされて、抱持端部１０ｈが形成されている。なお、前述のように、抱持部１０ｃを、横断面が中空の渦巻き形状に形成する場合には、この被抱持部１０ｇを抱持部１０ｃの中空の渦巻き形に収容される中実の渦巻き形状に形成することで、これら抱持部１０ｃと被抱持部１０ｇとが確実に連繋できることになる。
また、この被抱持部１０ｇの首部１０ｇ１が、のど部１０ｆを通過する。さらに、首部１０ｇ１の側面であって、抱持部１０ｃが巻かれる方向の側と反対側の面には、係止突起１０ｇ２が突設されている。この係止突起１０ｇ２が、図１４に示すように、連結板１０の収容舌片１０ｄの先端に当接することにより、抱持部１０ｃに対する被抱持部１０ｇの位置が規制されて、パネル１ａが伸張状態となる。
【００３２】
また、中空の渦巻き形状の抱持部１０ｃと中実の渦巻き形状の被抱持部１０ｇとの間に適宜な間隙を設けることで、後述するように、軸部材１２の軸部１２ｂを軸として召し合わせ框１ａｆを連結板１０に対して揺動させる際に、被抱持部１０ｇを抱持部１０ｃに対する位置を円滑に移動させることができる。
【００３３】
これら、召し合わせ框１ａｆと連結板１０とを連繋させるには、召し合わせ框１ａｆの端部から連結板１０の端部を差し込んで、連結板１０を召し合わせ框１ａｆの長手方向に摺動させる。このとき、連結板１０の抱持部１０ｃに抱持端部１０ｈを抱持させるように差し込む。
これにより、連結板１０と一対の召し合わせ框１ａｆとが一体的となると共に、後述するように、召し合わせ框１ａｆが回動すると、抱持端部１０ｈが抱持部１０ｃに抱持された状態を維持して、抱持部１０ｃ内で移動する。
【００３４】
軸部材１２は、図５〜図８、図１０に示すように、連結板１０と召し合わせ框キャップ１１とに連繋する。図６と図８とを参照して、連結板１０と軸部材１２との連繋を説明する。
なお、召し合わせ框キャップ１１と軸部材１２とは、召し合わせ框１ａｆの上部と下部とのそれぞれに配されるが、図５〜図８には、上部に配される召し合わせ框キャップ１１と軸部材１２を示している。したがって、以下の説明における「上下」の語は、上部に配される軸部材１２や召し合わせ框１ａｆに関するものである。
軸部材１２は、図６と図８、図１０に示すように、長円形に形成された台座部１２ａを主体に構成されている。この台座部１２ａの上面には、上方に突出した２本の軸部１２ｂが設けられている。また、図１０に示すように、下面には台座部１２ａの長円形の長辺の一方から下方へ突出させた連結板受け部１２ｃが設けられている。この連結板受け部１２ｃは長円に沿って伸長している平板部１２ｃ１と、この平板部１２ｃ１の中央部に、長円形の他方の長辺に向かって突出させた突出部１２ｃ２とを備えている。これら平板部１２ｃ１と突出部１２ｃ２との下面は平面に形成されて、連結板受け面１２ｃ３とされている。すなわち、軸部材１２が連結板１０に連繋した状態で、この連結板受け面１２ｃ３には、連結板１０の端面が当接することになる。
連結板受け面１２ｃ３の中央部には、連結板１０の軸部材収容部１０ｅに合致する形状で、軸部材収容部１０ｅに挿入される断面ほぼＶ字形に形成された連繋部１２ｄが設けられている。連結板１０の軸部材収容部１０ｅは、図５と図６、図９に示すように、その断面形状は、収容舌片１０ｄ側が拡開された形状に形成されており、連繋部１２ｄの断面形状は先端側である平板部１２ｃ１の側が細く、この平板部１２ｃ１側の先端側が連結板１０の軸部材収容部１０ｅの主体板１０ａの側に挿入される。また、連繋部１２ｄの基端側である断面形状の太い側の端部には、保持板１２ｅが設けられている。そして、この保持板１２ｅの連繋部１２ｄ側の面に、連結板１０の収容舌片１０ｄの外側面が当接する。そして、連結板１０と軸部材１２とを連繋させた状態では、連結板１０の軸部材収容部１０ｅに連繋部１２ｄが挿入されて、前述したように、連結板１０の先端面が連結板受け面１２ｃ３に当接する。
【００３５】
召し合わせ框キャップ１１は、函体により形成されており、その側板の外形が召し合わせ框１ａｆの外形とほぼ一致する形状とされている。なお、図５〜図８は、一対のパネル１ａのそれぞれの召し合わせ框１ａｆに取り付けられた召し合わせ框キャップ１１が連繋している状態を示している。
召し合わせ框キャップ１１の上面は、召し合わせ框１ａｆに取り付けられた状態で上框１ａｔの上面とほぼ一致する。また、上面には、後述する隙間防止部材が取り付けられる隙間防止材取付溝１１ａが設けられている。この召し合わせ框キャップ１１の下面側は函体の空間部となっており、この空間部には、図７と図８とに示すように、強度を確保するためのリブが適宜に配されている。また、召し合わせ框キャップ１１の下側には、軸部材１２の軸部１２ｂのそれぞれが各別に挿入される軸穴１１ｂが設けられている。
召し合わせ框キャップ１１の外周面であって、対向した部分には、それぞれ歯部１１ｃが形成されて、一対の召し合わせ框キャップ１１が連繋した状態で、これらの歯部１１ｃが噛合する。そして、召し合わせ框１ａｆに連結板１０が連繋した状態で、召し合わせ框キャップ１１を被せると、図５と図７とに示すように、軸穴１１ｂに軸部１２ｂが挿入されると共に、それぞれの召し合わせ框キャップ１１の歯部１１ｃが噛合することになる。
【００３６】
図１３に、前述した召し合わせ框キャップ１１とは形状の異なる召し合わせ框キャップ１１１を示す。なお、一対のパネル１ａに被せられる召し合わせ框キャップ１１１のそれぞれには召し合わせ框キャップ１１の歯部１１ｃと同様に歯部１１１ｃを有している。図１３は、これら歯部１１１ｃ同士が噛合した状態を、一部を省略して示す平面図で、（Ａ）は一対のパネル１ａが折り畳み状態にある状態を示し、（Ｂ）と（Ｃ）は折り畳み状態から伸張状態に変位する途中の状態を順次示し、（Ｄ）は一つのパネル１ａが伸張状態にある状態を示している。
前述した召し合わせ框キャップ１１では、図１１に示すように、パネル１ａが伸張状態となると、歯部１１ｃが形成されていない側は、前面同士が密着したり、端部側に僅かに間隙が形成されたりする形状とされている。このため、召し合わせ框キャップ１１の間に手足の指先が挟まってしまうおそれがあり、特に、下側の召し合わせ框キャップ１１には足の指先が挟まるおそれがある。
これに対して、図１３に示す召し合わせ框キャップ１１１では、手足の指先が不用意に挟まれてしまうことが防止される。
この召し合わせ框キャップ１１１のそれぞれの正面側の面であって、一端側に歯部１１１ｃが形成され、歯部１１１ｃが形成されていない他端側の部分には、図１３（Ｄ）に示すように、パネル１ａが伸張状態にある状態でほぼ平行となる外側平面１１１ａが、端部から中央部に掛けて適宜な位置まで形成されている。この外側平面１１１ａ同士の間隙による空間部で挟み込み防止間隙Ｇａが形成される。一方、歯部１１１ｃの歯元であって、召し合わせ框キャップ１１１の正面の中央部側に位置した歯元から適宜な位置まで内側平面１１１ｂが形成される。この内側平面１１１ｂ同士は、図１３（Ｄ）に示すように、パネル１ａが伸張状態となると密着するようにしてある。
そして、外側平面１１１ａの中央部側の端部と内側平面１１１ｂの中央部側の端部とに、外側平面１１１ａと内側平面１１１ｂのそれぞれに対して交差する方向の平面による傾斜面１１１ｄを連続させてある。すなわち、この傾斜面１１１ｄは、内側平面１１１ｂの端部から外側平面１１１ａの端部に掛けて外側平面１１１ａ側が拡開している。なお、この傾斜面１１１ｄ同士の間にも適宜な間隔の空間部が形成されており、この空間部も挟み込み防止間隙Ｇａの一部を構成している。
なお、傾斜面１１１ｄを設けることなく、内側平面１１１ｂの中央部側の端部から外側平面１１１ａの中央部側の端部まで拡幅させて、挟み込み防止間隙Ｇａを形成することもできる。
【００３７】
このため、図１３（Ｂ）に示すように、指先Ｆが召し合わせ框キャップ１１１の間に位置した状態で、パネル１ａが伸張状態に向かって回動する途中において、指先Ｆに傾斜面１１１ｄが接触し、この傾斜面１１１ｄが狭められる方向の力が作用して指先Ｆが押し出されると共に、指先Ｆが挟まれるおそれがあることを感じて指先Ｆを迅速に待避させることができる。また、万一、パネル１ａの回動が伸張状態まで継続した場合であっても、挟み込み防止間隙Ｇａの外側平面１１１ａ同士の距離を指先Ｆよりも適宜に大きくすることにより、指先Ｆが挟まれることがない。
【００３８】
また、召し合わせ框１ａｆには、図１４と図１５の横断面図に示すように、背面側の側端部には、側壁を後方に向かって突出させた指掛け部１ａｆ１が形成されている。また、図１９に示すように、縦框１ａｐの前面側の側端部には、側方に膨出させた正面側指掛け部１ａｐ１が形成されている。また、縦框１ａｐの背面側の側端部には、背面側指掛け部１ａｐ２が側方に向かって突出して設けられている。
【００３９】
（折り戸の変位動作）
図１１〜図１８を参照して、折り戸の折り畳み状態と伸張状態との変位動作を説明する。
図１１と図１４は、折り戸・引き戸式の移動式間仕切り１の一対のパネル１ａが伸張状態にある場合を示す図である。また、図１６と図１７は、一対のパネル１ａが折り畳み状態から伸張状態まで、召し合わせ框１ａｆが連結板１０に対して揺動する動作を示している。すなわち、図１６（Ａ）は伸張状態を示し、徐々に揺動して図１７（Ｃ）に示す折り畳み状態に変化する。
図１１と図１４、図１６（Ａ）の伸張状態では、二枚のパネル１ａが同一直線状に配されて一枚の板状となって、引き戸として機能させることができる。また、図１１は二枚のパネル１ａの平面図であり、図１４は二枚のパネル１ａの召し合わせ框１ａｆの横断面図である。また、図１６と図１７は、召し合わせ框１ａｆの横断面図である。また、折り戸・折り戸式の移動式間仕切り２の一対のパネル２ａは、パネル１ａと同様の構造であるので、パネル１ａについて説明する。なお、移動式間仕切り２の場合にはパネル２ａは引き戸しては機能しない。
二枚のパネル１ａの召し合わせ框１ａｆに被せられている召し合わせ框キャップ１１、１１１は、図１１と図１３に示すように、それぞれに形成された歯部１１ｃ、１１１ｃ同士が噛合している。なお、以下の説明は、召し合わせ框キャップ１１に関して行う。また、召し合わせ框キャップ１１１については折り畳み状態から伸張状態に変位する際に、指先Ｆが挟み込むことを防止するよう機能することは前述の通りである。
二枚のパネル１ａが伸張状態にある場合には、図１４と図１６（Ａ）に示すように、連結板１０の主体板１０ａの外側面と召し合わせ框１ａｆの側面とが同一面内に位置する。また、連結板１０と連繋している側と反対側の端部に設けられた隙間防止部材１３により召し合わせ框１ａｆの間に形成される隙間が閉じられた状態にある。なお、図１４と図１６、図１７に示すように、対向している召し合わせ框１ａｆの一方に取り付けられた隙間防止部材１３と他方に取り付けられた隙間防止部材１３とを反転させて組み合わせて、隙間防止部材１３が備えている舌片１３ａの間の部分に空間部１３ｂを形成することが好ましい。
また、図１２と図１５、図１６（Ｂ）、図１６（Ｃ）、図１７（Ａ）、図１７（Ｂ）は、二枚のパネル１ａが折り畳み状態と伸張状態と間の変位途中の状態を示しており、この状態から、さらにパネル１ａが折り畳まれて二枚のパネル１ａが平行な状態となって、図１７（Ｃ）に示す折り畳み状態となる。
【００４０】
伸張状態にある二枚のパネル１ａを折り畳み状態に変位させるには、図１１と図１４、図１６（Ａ）とにおいて、召し合わせ框１ａｆを矢標Ｐで示す方向に移動させる。このとき、連結板１０の側から操作する場合には、召し合わせ框１ａｆを矢標Ｐで示す方向に押動させる。また、隙間防止部材１３の側から操作する場合には、指掛け部１ａｆ１に手の指先を掛止させて、手前に引くことにより矢標Ｐ方向に移動させる。
召し合わせ框１ａｆが矢標Ｐ方向へ移動すると、二枚のパネル１ａのそれぞれは、後述する、上框１ａｔと上側案内レール１ｂとの連繋部を中心として揺動する。この揺動により、召し合わせ框１ａｆが上側案内レール１ｂの側方に移動させられると共に、二枚のパネル１ａの上框１ａｔと上側案内レール１ｂとの連繋部が接近するように移動する。召し合わせ框１ａｆが矢標Ｐ方向へ移動する際には、それぞれの召し合わせ框１ａｆが、軸部材１２の軸部１２ｂをそれぞれ中心として揺動する。
【００４１】
伸張状態から折り畳み状態へ変位するために、図１６と図１７に示すように、召し合わせ框１ａｆが軸部材１２の軸部１２ｂを中心として揺動すると、連結板１０の抱持部１０ｃ内を召し合わせ框１ａｆの被抱持部１０ｇが移動する。
伸張状態にある場合には、図１６（Ａ）に示すように、被抱持部１０ｇが抱持部１０ｃの最奥部に位置した状態にあって、被抱持部１０ｇの係止突起１０ｇ２が連結板１０の収容舌片１０ｄの先端に当接した状態にある。
伸張状態から折り畳み状態へ変位する際には、被抱持部１０ｇが抱持部１０ｃに対して徐々に移動する。被抱持部１０ｇが配された召し合わせ框１ａｆの揺動は、軸部材１２の軸部１２ｂを軸として行われるので、召し合わせ框１ａｆが連結板１０に対する揺動が許容されるためには、被抱持部１０ｇが抱持部１０ｃに対して移動することが許容されなければならない。前述したように、抱持部１０ｃを中空の渦巻き形状に形成し、被抱持部１０ｇをこの抱持部１０ｃに連繋する中実の渦巻き形状で形成する場合には、これらの間に間隙を形成することにより、被抱持部１０ｇに対する抱持部１０ｃの移動と、連結板１０に対する召し合わせ框１ａｆの揺動のいずれもが許容されることになる。
抱持部１０ｃに対して被抱持部１０ｇが移動する際には、被抱持部１０ｇが抱持部１０ｃから徐々に離脱する方向に移動することになる。また、この被抱持部１０ｇの移動方向は、被抱持部１０ｇの係止突起１０ｇ２が収容舌片１０ｄの先端から離隔する方向となる。図１７（Ｃ）に示す折り畳み状態となると、被抱持部１０ｇは抱持部１０ｃから最も突出した位置に離脱した状態となる。この状態であっても、被抱持部１０ｇが抱持部１０ｃから離脱してしまうことがないように、召し合わせ框１ａｆと連結板１０とを連繋させてある。このため、これら召し合わせ框１ａｆと連結板１０とを連繋させるには、前述したように、召し合わせ框１ａｆの端部から連結板１０の端部を、連結板１０の抱持部１０ｃに抱持端部１０ｈを抱持させるように差し込んで、連結板１０を召し合わせ框１ａｆの長手方向摺動させるようにする。
また、このとき、一対の召し合わせ框キャップ１１に形成されている歯部１１ｃは、軸部１２ｂを中心として回動すると共に、噛合状態が維持されているので、一対の召し合わせ框キャップ１１は同期して回動する。
【００４２】
折り畳み状態にある二枚のパネル１ａを伸張状態に変位させるには、一方のパネル１ａの縦框１ａｐを他方のパネル１ａの縦框１ａｐから離隔する方向に移動させる。これにより、召し合わせ框キャップ１１が軸部材１２の軸部１２ｂを中心に揺動して、歯部１１ｃの噛合関係によって二枚のパネル１ａは同期して回動するから、これら二枚のパネル１ａは伸張状態となる。このとき、被抱持部１０ｇが抱持部１０ｃ内を移動し、図１４に示すように、伸張状態となったときに、係止突起１０ｇ２が連結板１０の収容舌片１０ｄの先端に当接する。
【００４３】
また、伸張状態に変位する際には、図１８に示す、一対の係合部１６ａの間位置に係合受け部１６ｂが進入して、これら係合部１６ａと係合受け部１６ｂとが係合する。係合部１６ａから一部が突出している係合球１６ａ１が、係合受け部１６ｂの上下の面の縁部を通過する際、図示しない押圧バネの復元力に抗して係合部１６ａの筒体内に埋没して、上下の面のそれぞれを擦過する。この係合球１６ａ１が係合受け部１６ｂの球体受容部１６ｂ１に達すると、押圧バネの復元力によって係合球１６ａ１が球体受容部１６ｂ１に受容されて、係合部１６ａと係合受け部１６ｂとが係合する。これら係合部１６ａと係合受け部１６ｂとが係合した状態では、召し合わせ框１ａｆ同士が係止された状態となり、伸張状態が維持される。
伸張状態にある二枚のパネル１ａを折り畳み状態に変位させるには、前述のように、図１１と図１４、図１６（Ａ）における矢標Ｐで示す方向の力を受けて、召し合わせ框１ａｆが回動する。この回動によって、係合球１６ａ１と球体受容部１６ｂ１との係合が解除されて、パネル１ａを折り畳むことができる。係合球１６ａ１と球体受容部１６ｂ１との係合の解除は、召し合わせ框１ａｆの回動により、係合球１６ａ１が球体受容部１６ｂ１から離脱する。このとき、図示しない押圧バネの復元力に抗して係合球１６ａ１が係合部１６ａの筒体内に埋没することで、係合部１６ａと係合受け部１６ｂとの係合の解除が可能となる。係合球１６ａ１が係合受け部１６ｂの上下の面から離脱すると、押圧バネの復元力を受けて係合部１６ａから突出した状態となる。
【００４４】
また、伸張状態となった二枚のパネル１ａは引き戸として機能させることができるが、その場合には、図１９（Ｂ）に示すように、縦框１ａｐに形成した正面側指掛け部１ａｐ１を手指で把持したり、図１９（Ｃ）に示すように、背面側指掛け部１ａｐ２に指先を掛けたりすることにより、パネル１ａを上側案内レール１ｂと下側案内レール１ｃとに沿って移動させることができる。
【００４５】
上述のように、折り戸の折り畳み構造は、連結板１０を介して二枚のパネル１ａの召し合わせ框１ａｆを連繋させるもので、この連結板１０に対してそれぞれのパネル１ａの召し合わせ框１ａｆが揺動することで、折り畳み状態と伸張状態とに変位自在となる。連結板１０は召し合わせ框１ａｆに上下に亘って召し合わせ框１ａｆと連繋しているから、召し合わせ框１ａｆの上下の中間部に隙間が生じることがない。
そして、パネル１ａの揺動は、召し合わせ框１ａｆに配された召し合わせ框キャップ１１が軸部材１２の軸部１２ｂを中心として回動することに伴われて行われる。すなわち、連結板１０と召し合わせ框キャップ１１、軸部材１２とにより召し合わせ框１ａｆの揺動を行わせることができ、簡単な構造で、部品点数が少なくなるとともに、一対の召し合わせ框１ａｆの揺動を容易に同期して行わせることができる。
しかも、召し合わせ框１ａｆが連結板１０に対して揺動しても、被抱持部１０ｇが抱持部１０ｃから脱落することがない。
また、二枚のパネル１ａが伸張状態にある場合、連結板１０の主体板１０ａの外側面と召し合わせ框１ａｆの側面とを同一平面内に位置させることができて、伸張状態とした場合に、外側に突出する部分が存せず、外観が損なわれることがない。
また、一対のパネル１ａが伸張状態にある場合には、二枚のパネル１ａの召し合わせ框１ａｆ同士の正面が対向して位置して、これら召し合わせ框の間に隙間が形成される。折り畳み状態から伸張状態に変位した際には、隙間防止部材１３があるので、この隙間に指等が挟まれてしまうことが防止される。しかも、伸張状態では、この隙間が隙間防止部材１３によって閉じられるから、移動式間仕切り１の外観にこの隙間が現れず、移動式間仕切り１の外観が損なわれることがない。
また、この隙間防止部材１３に、ゴム材等のような可撓性を備えている材料を用いることにより、指が突き当たった場合でも適宜に撓んで衝撃を与えることがない。なお、隙間防止部材１３は、中空体によって形成することで、軽量化を図ることができて好ましい。
パネルが伸張状態にある場合は、部屋を二部屋に区画して利用する場合であるから、不用意に折り畳まれては不都合である。このため、伸張状態を維持できるように、召し合わせ框同士を係止する、係合部１６ａと係合受け部１６ｂとからなる係止手段を設けたものである。この係止手段は係脱自在とされて、適宜な力で係合が解除されてパネルを折り畳むことができるようにすることが好ましい。
また、パネル１ａの召し合わせ框１ａｆや縦框１ａｐに、指掛け部１ａｆ１や正面側指掛け部１ａｐ１、背面側指掛け部１ａｐ２を設けることにより、移動式間仕切り１の折り戸を変位させたり、引き戸として移動をさせたりすることを支障なく行わせることができる。
他方、一般的には、図３９と図４１、図４２に示すように、把手１ａｈや把手３ａｈ、把手４ａｈを縦框１ａｐ等に設けることで、移動式間仕切り１のパネル１ａの操作を行えるようにしてある。この実施形態では、このような把手１ａｈ等を設けることなく移動式間仕切り１のパネル１ａを行えるようにしたものであるが、例えば、ユーザーの所望により把手１ａｈ等を取り付けられるようにすることが好ましい。
なお、把手等が取り付けられていない場合には、パネルの小型化を図れて、移動式間仕切りの小型化を図ることができる。
【００４６】
（パネルの支持構造及び上框と下框、案内レールとの連繋部構造）
肉厚の小さいパネル１ａが用いられる場合には、図２０(Ｂ）の矢標Ｓで示すように、パネル１ａの面に力が加えられると湾曲するおそれがある。特に、一般家屋に設置するために、移動式間仕切り１の小型化を図る場合には、上框１ａｔや下框１ａｂ、召し合わせ框１ａｆ、縦框１ａｐが小型化し、肉厚の小さなパネル１ａが用いられる。このため、僅かな力でパネル１ａが湾曲してしまうおそれが生じる。そこで、パネル１ａが湾曲しようとする場合、この湾曲を許容して、元の状態に復元される構造が要求される。
【００４７】
図２０〜図２２は、パネル１ａと上框１ａｔと上側案内レール１ｂとの連繋部と、パネル１ａと下框１ａｂと下側案内レール１ｃとの連繋部の構造を示す縦断面図である。
パネル１ａは、上框１ａｔの下側壁と下框１ａｂの上側壁にパネル１ａの上下の端部が支持されて保持されている。
【００４８】
上框１ａｔの下側壁には、図２１に示すように、上框１ａｔの長手方向に支持溝１ａｔ１が形成されており、パネル１ａの上端がこの支持溝１ａｔ１に挿入される。また、この支持溝１ａｔ１には適宜な弾性を備えている緩衝材１ａｄが配されており、パネル１ａの端部と支持溝１ａｔ１とはこの緩衝材１ａｄを介して連繋されている。このため、パネル１ａが上框１ａｔに対して適宜に傾くことが許容されている。
上框１ａｔには上下方向を軸方向とした上側軸１ａｔ２が設けられており、この上側軸１ａｔ２の上端部が上框１ａｔの上方に突出している。一方、上側案内レール１ｂには、長手方向に転動自在な一対のローラ１ｂ１が配されている。このローラ１ｂ１は支持ブロック１ｂ２に支持された支持軸１ｂ３を中心として回動自在に支持されており、この回動によって上側案内レール１ｂに案内されて転動する。また、これらローラ１ｂ１の支持軸１ｂ３の方向と上側軸１ａｔ２の軸方向とは直交させてあり、この上側軸１ａｔ２の上端部が支持ブロック１ｂ２に回動自在に支持されている。この上側軸１ａｔ２の支持ブロック１ｂ２に対する回動によって、パネル１ａは折り畳み状態と伸張状態との間で変位する。また、上側軸１ａｔ２の上部にはフランジ部１ａｔ２１が形成されており、このフランジ部１ａｔ２１と支持ブロック１ｂ２の下面との間には間隙Ｇｔが設けられており、上側軸１ａｔ２がローラ１ｂ１の回動軸と直交する方向に対して適宜な角度に傾くことが許容されている。
また、上框１ａｔの上面の側端部には、上側軸１ａｔ２を挟むように、一対の隙間防止部材１４が設けられており、これら隙間防止部材１４の先端を上側案内レール１ｂに接近させて、上框１ａｔと上側案内レール１ｂとの間に形成される隙間が閉じられている。また、この隙間防止部材１４は、ゴム等の材料が用いられて、可撓性が備えられている。
【００４９】
下框１ａｂの上側壁には、図２２に示すように、下框１ａｂの長手方向に支持溝１ａｂ１が形成されており、パネル１ａの下端がこの支持溝１ａｂ１に挿入される。また、この支持溝１ａｂ１には適宜な弾性を備えている緩衝材１ａｅが配されており、パネル１ａの端部と支持溝１ａｂ１とはこの緩衝材１ａｅを介して連繋されている。このため、パネル１ａが下框１ａｂに対して適宜に傾くことが許容されている。
下框１ａｂには有底の筒状に形成されたバネ筐体１ａｂｂが収容されており、このバネ筐体１ａｂｂに圧縮コイルバネからなる押圧バネ１ａｂ２が収容されている。バネ筐体１ａｂｂは上方に底部が、下方に開口１ａｂｂ１が配されており、押圧バネ１ａｂ２はこのバネ筐体１ａｂｂの上部、すなわち底部に適宜に保持されて収容されている。このバネ筐体１ａｂｂには下側軸１ａｂ３が収容され、この下側軸１ａｂ３の先端部が開口１ａｂｂ１から突出している。また、下側軸１ａｂ３はバネ筐体１ａｂｂに対して軸方向に摺動自在とされている。下側軸１ａｂ３の基端部には、押圧バネ１ａｂ２が係脱自在に連繋させてあり、係合時にはこの押圧バネ１ａｂ２の復元力が、下側軸１ａｂ３がバネ筐体１ａｂｂから突出する方向に付勢されている。
なお、バネ筐体１ａｂｂと下側軸１ａｂ３とにより、伸縮自在な、いわゆるテレスコピック形式の軸とし、その外筒に押圧バネ１ａｂ２を設けた構造とすることでも構わない。
下側軸１ａｂ３の先端には下側案内レール１ｃと連繋しているスライダー１ｄが、これら下側軸１ａｂ３とスライダー１ｄとの間に適宜な遊びを介して、すなわち適宜な間隙を介して連結されて、下側軸１ａｂ３の軸を中心として回動自在に支持されている。また、押圧バネ１ａｂ２の復元力により、スライダー１ｄが下側案内レール１ｃに押圧されている。下側案内レール１ｃの上面には、断面形状が鳩尾状に形成されたレール部１ｃ１が設けられており、スライダー１ｄの下部にはこのレール部１ｃ１を収容する鳩尾状のレール溝部１ｄ１が形成されている。また、これらレール部１ｃ１がレール溝部１ｄ１に収容された状態で、レール部１ｃ１の内側面とレール溝部１ｄ１の外側面との間に適宜な間隙Ｇｂが設けられている。
また、下側軸１ａｂ３のスライダー１ｄとの連繋部は縮径された形状に形成され、下側軸１ａｂ３の拡径側の端部とスライダー１ｄとの間には間隙Ｇｓが設けられている。このため、これら間隙Ｇｂと間隙Ｇｓによって、下側軸１ａｂ３がスライダー１ｄに対して傾くことと、スライダー１ｄが下側案内レール１ｃに対して傾くこととが許容されている。
また、下框１ａｂの下面の側端部には、下側軸１ａｂ３を挟むように、一対の隙間防止部材１５が設けられており、これら隙間防止部材１５の先端を下側案内レール１ｃに接近させて、下框１ａｂと下側案内レール１ｃとの間に形成される隙間が閉じられている。また、この隙間防止部材１５は、ゴム等の材料が用いられて、可撓性が備えられている。
【００５０】
以上に説明した上側軸１ａｔ２と下側軸１ａｂ３とは、同一の軸上に配されている。また、折り戸・引き戸式の移動式間仕切り１の二枚のパネル１ａのそれぞれには、これら上側軸１ａｔ２と下側軸１ａｂ３とからなる連繋部は上框１ａｔと下框１ａｂの一箇所に配されている。しかも、二枚のパネル１ａのそれぞれの連繋部は、前述した連結板１０を軸として対称となる位置に設けられている。
なお、折り戸・折り戸式の移動式間仕切り２における二枚のパネル２ａのそれぞれには、同様に、上側軸１ａｔ２と下側軸１ａｂ３が上框２ａｔと下框２ａｂの一箇所に配されている。
上側軸１ａｔ２は支持ブロック１ｂ２に対して回動自在であり、下側軸１ａｂ３はスライダー１ｄに対して回動自在である。このため、支持ブロック１ｂ２を収容している上側案内レール１ｂとスライダー１ｄと係合している下側案内レール１ｃに対しても、これら上側軸１ａｔ２と下側軸１ａｂ３が回動自在となっている。したがって、折り戸の場合に、折り畳み状態と伸張状態との間で変位させようとパネル１ａを回動させる場合には、これら上側軸１ａｔ２と下側軸１ａｂ３とを中心として回動させることができることになる。
【００５１】
なお、折り戸として機能しない引き戸機能のみの移動式間仕切り３と移動式間仕切り４、移動式間仕切り５に用いられるパネル３ａとパネル４ａ、パネル５ａの場合には、上側軸１ａｔ２と下側軸１ａｂ３とは複数箇所に設けることが好ましい。
【００５２】
また、隙間防止部材１４と隙間防止部材１５が取り付けられているため、上框１ａｔと上側案内レール１ｂとの隙間、または下框１ａｂと下側案内レール１ｃとの隙間に指が差し込まれてしまうことが防止される。特に、下框１ａｂと下側案内レール１ｃとの隙間には、足の指が差し込まれてしまうおそれがあり、このため、少なくとも、下框１ａｂに隙間防止部材１５を設けることが好ましい。さらに、下框１ａｂと下側案内レール１ｃとの間隔を、足の指が差し込まれない大きさとすることも好ましい。
また、これら隙間防止部材１４と隙間防止部材１５にゴム材等による可撓性を備えさせることにより、指が突き当たった場合でも適宜に撓んで衝撃を与えることがない。
【００５３】
（パネルの湾曲時の動作）
パネル１ａの中央部に衝撃等の力が加えられると、図２０（Ｂ）に示すように、パネル１ａが湾曲することになる。
このとき、パネル１ａは上框１ａｔに緩衝材１ａｄを介して支持され、下框１ａｂに緩衝材１ａｅを介して支持されているから、これら緩衝材１ａｄ、１ａｅによって衝撃が緩和されると共に、緩衝材１ａｄが圧潰されて、パネル１ａの湾曲が許容される。また、上側軸１ａｔ２のフランジ部１ａｔ２１と支持ブロック１ｂ２との間に設けられた間隙Ｇｔにより、上側軸１ａｔ２が上側案内レール１ｂに対して傾くことが許容される。また、下側軸１ａｂ３に取り付けられたスライダー１ｄと下側案内レール１ｃとの間に設けられた間隙Ｇｂにより、下側軸１ａｂ３が下側案内レール１ｃに対して傾くことが許容される。さらに、下側軸１ａｂ３とスライダー１ｄとの間に設けられた間隙Ｇｓにより、下側軸１ａｂ３がスライダー１ｄに対して傾くことが許容される。
したがって、パネル１ａの湾曲は、これら上側軸１ａｔ２と下側軸１ａｂ３が傾くことによって許容される。
さらに、パネル１ａが湾曲すると、上框１ａｔと下框１ａｂとの距離が小さくなる。このため、これら上框１ａｔと下框１ａｂとが接近する方向に移動する。上框１ａｔは上側案内レール１ｂとの関係で位置が規制されているから、上框１ａｔは移動せずに、図２０（Ｂ）に示すように、下框１ａｂが斜め上方に移動して、上框１ａｔに接近する。なお、この下框１ａｂの斜め上方への移動は、下側案内レール１ｃとスライダー１ｄとの間隙Ｇｂによって許容される。また、この下框１ａｂの斜め上方へのこの移動は、下側軸１ａｂ３に対してバネ筐体１ａｂｂが軸方向に摺動することによる。このため、バネ筐体１ａｂｂの底部と下側軸１ａｂ３の先端部とが離隔するから、スライダー１ｄに対する押圧バネ１ａｂ２の復元力により生じている付勢状態が解除される。
【００５４】
パネル１ａに対する衝撃等による力が消滅すると、湾曲したパネル１ａがその復元力によって平板状に復帰する。この復帰動作によって、間隙Ｇｔにより上側案内レール１ｂに対して傾いた上側軸１ａｔ２が元の状態に復帰する。また、間隙Ｇｂにより下側案内レール１ｃに対して傾いたスライダー１ｄが元の位置に復帰し、さらに、スライダー１ｄに対して傾いた下側軸１ａｂ３が元の位置に復帰する。
また、上框１ａｔに接近するよう上昇した下框１ａｂが下降して、元の位置に復帰する。このとき、バネ筐体１ａｂｂが下側軸１ａｂ３に対して摺動して下框１ａｂが下降する。バネ筐体１ａｂｂのこの下降によって押圧バネ１ａｂ２が下側軸１ａｂ３と係合し、この押圧バネ１ａｂ２の復元力がスライダー１ｄに作用する状態となる。このため、スライダー１ｄが下側案内レール１ｃに押圧されて、スライダー１ｄが下側案内レール１ｃに案内されて移動することができる状態となる。
【００５５】
（引き戸のストッパ装置）
折り戸・引き戸式の移動式間仕切り１のパネル１ａを引き戸として利用する場合や引き戸・引き戸式の移動式間仕切り３のパネル３ａによる引き戸では、間仕切りとして使用する場合には、パネル１ａやパネル３ａを定位置に固定する必要が生じる場合がある。例えば、伸張状態にある一方の一対のパネル１ａを出入りのための引き戸として利用する場合、他方の一対のパネル１ａは不用意に移動しないように固定されることが好ましい。また、移動式間仕切り３の場合には一枚のパネル３ａを出入り口とし、他のパネル３ａは固定することが好ましい。
このために、パネル１ａの縦框１ａｐの下端部にはストッパ装置が取り付けられている。図２３〜図２９には、下側案内レール１ｃを備えている移動式間仕切り１、移動式間仕切り３の場合に適したストッパ装置２０が、図３０〜図３４には移動収納式の移動式間仕切り５の場合に適したストッパ装置３０が示されている。
【００５６】
ストッパ装置２０は、図３９に示す移動式間仕切り１と図４１に示す移動式間仕切り３に備えさせることが好ましく、以下に説明する構造は、移動式間仕切り１に設けられるストッパ装置２０についてのものであるが、移動式間仕切り３に設けられるストッパ装置２０も同様な構造とすることができる。
【００５７】
ストッパ装置２０は、主として、ホルダ部材２１とピン保持部材としての作動部材２２、係止ピン２３、ピン受け穴としてのピン受けつぼ２４により構成されている。
ホルダ部材２１は、パネル１ａの縦框１ａｐの下端部に挿入されて取り付けられている。このホルダ部材２１の正面は縦框１ａｐの下端部の正面に露呈して配されている。ホルダ部材２１の左右には、上下方向に貫通した一対のガイド孔２１ａが形成されている。また、図２５と図２７とに示すように、背面の中央上部には、上端から下方の適宜な位置まで切り込まれた係止用切欠部２１ｂが形成されている。また、ホルダ部材２１正面には背面側に窪んだ操作部としての凹部２１ｃが設けられており、この凹部２１ｃの下部は、ホルダ部材２１の下面で開放されている。
一方、作動部材２２はガイド孔２１ａに挿通される一対のガイド柱２２ａを備えており、このガイド柱２２ａがガイド孔２１ａに対して摺動自在とされている。このガイド柱２２ａは作動部材２２の台板２２ｄに立設されており、後述する動作によっても、ガイド孔２１ａから不用意に離脱することのない高さとされている。また、図２７に示すように、台板２２ｄの背面側には上方を指向して可撓性を備えたバネ板部２２ｂが設けられている。なお、ホルダ部材２１にはこのバネ板部２２ｂが挿通する挿通孔２１ｄが貫通して設けられており、バネ板部２２ｂはこの挿通孔２１ｄを貫通している。また、このバネ板部２２ｂの上部には後方に向かって、ホルダ部材２１の係止用切欠部２１ｂと係脱自在な係止突起２２ｃが突設されている。すなわち、これら係止用切欠部２１ｂと係止突起２２ｃとによって作動部材２２をホルダ部材２１に係止させる係手段が構成されている。なお、この係止突起２２ｃの係止用切欠部２１ｂに対する係脱は、バネ板部２２ｂが備えている自身の可撓性により行われる。ガイド柱２２ａがガイド孔２１ａに対して摺動することにより、ホルダ部材２１の下面と作動部材２２の台板２２ｄの上面とが接触する位置と離隔する位置とに位置することになる。また、接触した位置にある状態で、ホルダ部材２１の凹部２１ｃの下部には台板２２ｄの上面が露呈することになる。また、作動部材２２の正面側であって、台板２２ｄの下部には背面側に窪んだ操作部としての凹部２２ｅが設けられている。
【００５８】
作動部材２２の下部にはピン保持板２３ａが保持されており、作動部材２２に伴われてホルダ部材２１に対して移動する。このピン保持板２３ａは一部が作動部材２２の側方から突出させてあり、この突出した部分に係止ピン２３が下方を指向して突設されている。
また、下側案内レール１ｃの一部であって、パネル１ａを固定させようとする位置に対応した部分には透孔１ｃａが形成され、この透孔１ｃａにピン受けつぼ２４が埋設されている。
【００５９】
図３０〜図３４に示すストッパ装置３０も、ストッパ装置２０と同様の構造を備えており、主として、ホルダ部材３１と作動部材３２、係止ピン３３とにより構成されている。なお、このストッパ装置３０は、移動式間仕切り５のような下側案内レールのない構造に適しており、ストッパ装置２０が備えているピン受けつぼ２４に替えて、床面の所定の位置にピン受け穴（図示せず）が設けられている。
【００６０】
ホルダ部材３１は、パネル５ａの縦框５ａｐの下端部に挿入されて取り付けられ、このホルダ部材３１の正面は縦框５ａｐの下端部の正面に露呈して配されている。このホルダ部材３１に形成されたガイド孔３１ａに作動部材３２の台板３２ｄに立設させたガイド柱３２ａが摺動自在に挿入されている。台板３２ｄの背面側にはバネ板部３２ｂが設けられている。このバネ板部３２ｂの上部には、ホルダ部材３１の背面に形成された係止用切欠部３１ｂと、このバネ板部３２ｂの可撓性によって係脱する係止突起３２ｃが突出させてある。なお、ホルダ部材３１には挿通孔３１ｄが設けられており、バネ板部３２ｂはこの挿通孔３１ｄに挿通されている。
また、作動部材３２の台板３２ｄの上面はホルダ部材３１の操作部である凹部３１ｃに露呈する。また、作動部材３２の正面側であって、台板３２ｄの下部には背面側に操作部として窪ませた凹部３２ｅが設けられている。
【００６１】
（ストッパ装置の動作）
パネル１ａが移動自在の状態では、作動部材２２の台板２２ｄがホルダ部材２１の下面に当接している状態にある。この状態で、係止突起２２ｃが係止用切欠部２１ｂと係合して、作動部材２２がホルダ部材２１に保持された状態にあって、係止ピン２３が上昇した位置にあり、ピン受けつぼ２４と係合しない位置にある。この係止ピン２３のピン受けつぼ２４と係合していない位置を、移動許容位置とする。
パネル１ａを所定の位置に固定する場合には、パネル１ａを移動させて、係止ピン２３がピン受けつぼ２４に対向する位置に位置付かせる。そして、凹部２１ｃに指先を挿入して台板２２ｄを押し下げると、作動部材２２がホルダ部材２１に対して下降する。このとき、バネ板部２２ｂが撓むことによって係止突起２２ｃが係止用切欠部２１ｂから離脱し、作動部材２２の下降が許容される。ホルダ部材２１は縦框１ａｐに保持されているから、作動部材２２が下降すると、係止ピン２３も下降して、ピン受けつぼ２４に係合する。この係止ピン２３とピン受けつぼ２４との係合によって、パネル１ａの移動が阻止された状態となりパネル１ａが当該位置に固定された状態となる。この係止ピン２３のピン受けつぼ２４と係合した位置を、移動阻止位置とする。
【００６２】
係止ピン２３とピン受けつぼ２４との係合を解除するには、作動部材２２の台板２２ｄの下部の凹部２２ｅに指先を挿入して、作動部材２２をホルダ部材２１に対して上昇させる。これにより、係止ピン２３がピン受けつぼ２４から離脱して、これらの係合状態が解除される。また、作動部材２２を上昇させることにより、係止突起２２ｃが係止用切欠部２１ｂに達すると、撓んだ状態にあるバネ板部２２ｂがその復元力によって係止突起２２ｃを係止用切欠部２１ｂに係合させるから、以後は作動部材２２がホルダ部材２１に保持された状態となって、作動部材２２が不用意に下降しない。これにより、パネル１ａを移動させることができる。
【００６３】
また、ストッパ装置３０の場合には、凹部３１ｃに指先を挿入して台板３２ｄを押し下げると、作動部材３２がホルダ部材３１に対して下降し、係止ピン３３が床面に形成された図示しないピン受け穴に係合して移動阻止位置に位置し、パネル５ａの移動が阻止される。
また、凹部３２ｅに指先を挿入して作動部材３２を押し上げると、係止ピン３３がピン受け穴から離脱して、これらの係合状態が解除されて、移動許容位置に位置する。また、係止突起３２ｃが係止用切欠部３１ｂに達すると、撓んでいたバネ板部３２ｂの復元力によって係止突起３２ｃが係止用切欠部３１ｂに係合して、作動部材３２がホルダ部材３１に保持された状態となる。これにより、作動部材３２が不用意にホルダ部材３１から離脱することがなく、パネル５ａを移動させることができる。
【００６４】
作動部材２２を作動させて係止ピン２３を移動許容位置と移動阻止位置との間で移動させる操作は、縦框１ａｐの正面によって行うことができるので、作動部材２２の移動を案内するホルダ部材２１を縦框１ａｐに収容させて設けることができる。このため、ストッパ装置２０を小型化することができ、縦框１ａｐを小型化でき、移動式間仕切り１を小型化できて、一般家屋に設置するのに支障のない大きさの移動式間仕切り１とすることができる。
【００６５】
（ノンレール引き戸の揺れ防止構造）
ノンレール引き戸式の移動式間仕切り４では、下側案内レールが敷設されておらず、上框４ａｔで上側案内レール４ｂに吊下され、下框４ａｂが自由な状態にある。このため、パネル４ａ等の側方から力が加えられると、パネル１ａが上框１ａｔと上側案内レール４ｂとの連係部を中心として左右に揺動するおそれがある。パネル４ａが揺動する場合には、移動式間仕切り４としての機能が損なわれるおそれがあるから、この揺動を阻止することが好ましい。
そこで、ノンレール引き戸式の移動式間仕切り４には、揺動防止機能を備えることが好ましい。以下に、この揺動防止機能を果たす、揺れ防止構造を説明する。
【００６６】
図３７は、ノンレール引き戸式の移動式間仕切り４のパネル４ａの正面図である。また、図３５は床ガイド４０の斜視図、図３６はパネルガイド４２の斜視図である。なお、パネル４ａの下框４ａｂには、一対の隙間防止部材１５が取り付けられている。
床ガイド４０は、図３５に示すように、床面に固定される支持板部４０ａと、この支持板部４０ａの一端部から上方に向かって突出させた係止部４０ｂとを備えている。支持板部４０ａには、床面に固定する際に固定ボルト等を挿通させる透孔４０ａ１が設けられている。係止部４０ｂの上部には、下部に対して幅を小さくした緩衝材保持部４０ｂ１が形成されており、図３７に示すように、この緩衝材保持部４０ｂ１に筒状に成形された緩衝材４０ｃが保持される。
パネルガイド４２は、帯板材がほぼＵ字形に形成され、Ｕ字形の一方の腕部が他方の腕部よりも伸長されている。この伸長している側の腕部が支持腕部４２ａとされ、短い側の腕部が係止腕部４２ｂとされている。支持腕部４２ａは引き戸として重なり合う一方のパネル４ａの召し合わせ部の縦框４ａｐの側面に固定され、係止腕部４２ｂは他方のパネル４ａと係合する。支持腕部４２ａには、パネル４ａに固定する際に固定ボルト等を挿通させる透孔４２ａ１が設けられている。係止腕部４２ｂの上部には、下部に対して幅を小さくした緩衝材保持部４２ｂ１が形成されており、図３７に示すように、この緩衝材保持部４２ｂ１に筒状に成形された緩衝材４２ｃが保持される。
例えば、二枚のパネル４ａによるノンレール引き戸式の移動式間仕切り４では、二枚のパネル４ａは異なる上側案内レール４ｂに吊下されて、それぞれの移動の軌道が異なっている。このため、二枚のパネル４ａは全域で重なり合うことができ、また、間仕切りとして二部屋に区画する際には、二枚のパネル４ａの縦框４ａｐが召し合わせ部で重なった状態となる。
【００６７】
図３７は二部屋に区画した際の召し合わせ部を示す縦断面図で、この召し合わせ部の一方のパネル４ａの縦框４ａｐが位置する部分の床面には、床ガイド４０が固定される。床ガイド４０の支持板部４０ａを床面に固定すると、係止部４０ｂが上方に向かって起立した状態となる。この状態で、緩衝材保持部４０ｂ１が、この床ガイド４０の上方を通過して移動するパネル４ａの下框４ａｂに取り付けられた一対の隙間防止部材１５の間に位置する。なお、図３７に示すように、下框４ａｂと縦框キャップ４ａｐ１の下面に長手方向に沿った凹部４ａｂ１を形成して、緩衝材４０ｃがこの凹部４ａｂ１に挿入されるようにすることが好ましい。
床ガイド４０の上方を通過するパネル４ａは、緩衝材保持部４０ｂ１が隙間防止部材１５の間や凹部４ａｂ１と連繋した状態で移動する。したがって、この床ガイド４０の上方を通過するパネル４ａが揺動しようとすると、緩衝材保持部４０ｂ１の緩衝材４０ｃが隙間防止部材１５や凹部４ａｂ１に当接して揺動が阻止される。また、当接時に生じる衝撃は緩衝材４０ｃによって緩和される。
【００６８】
床ガイド４０の上方を通過する一方のパネル４ａの縦框４ａｐの側面にはパネルガイド４２の支持腕部４２ａが固定されている。このパネルガイド４２のＵ字形の中央部が他方のパネル４ａに向かって伸長して、係止腕部４２ｂが他方のパネル４ａの隙間防止部材１５の間に位置する。また、この他方のパネル４ａの下框４ａｂの下面にも凹部４ａｂ１を形成して、緩衝材４２ｃがこの凹部４ａｂ１に挿入されるようにすることが好ましい。
パネルガイド４２の緩衝材保持部４２ｂ１の上方を通過するパネル４ａは、緩衝材保持部４２ｂ１が隙間防止部材１５の間や凹部４ａｂ１と連繋した状態で移動する。したがって、このパネルガイド４２の緩衝材保持部４２ｂ１の上方を通過するパネル４ａが揺動しようとすると、緩衝材保持部４２ｂ１の緩衝材４２ｃが隙間防止部材１５や凹部４ａｂ１に当接して揺動が阻止される。また、当接時に生じる衝撃は緩衝材４０ｃによって緩和される。
【００６９】
（戸当り部の操作部構造）
図４３に示す移動式間仕切り５では、収納案内レール５ｄ側に位置しているパネル５ａ１を開き戸としてある。このため、このパネル５ａ１の召し合わせ框５ａｆには、引き戸のパネル５ａに当接して、パネル５ａ１の閉鎖位置を位置決めする戸当り框５ａｓが召し合わせ框５ａｆに設けられている。この戸当り框５ａｓは、図３８に示すように、開き戸の扉体となるパネル５ａ１の召し合わせ框５ａｆの側方に突出し、さらに前方に突出した形状に形成されている。すなわち、この戸当り框５ａｓは、図３８（Ａ）に示すように、閉鎖時に隣接することになるパネル５ａの召し合わせ框５ａｆの側面に当接して、開き戸のパネル５ａ１を閉鎖位置に位置決めして維持させる。この戸当り框５ａｓの側方に突出した部分の先端に、前方と後方に突出させた側面指掛け部５ａｓ１が形成されている。
【００７０】
扉体のパネル５ａを開放する場合には、図３８（Ａ）に示すように、側面指掛け部５ａｓ１を手指で把持して、戸当り框５ａｓを手前に引けば、扉体のパネル５ａが旋回して、図３８（Ｂ）に示すように、この開き戸の間口を容易に開放できる。また、扉体のパネル５ａを閉鎖側に旋回させるには、戸当り框５ａｓを押動させればよい。
【符号の説明】
【００７１】
１…移動式間仕切り、１ａ…パネル、１ａｂ…下框、１ａｂ１…支持溝、１ａｂ２…押圧バネ、１ａｂ３…下側軸、１ａｂｂ…バネ筐体、１ａｂｂ１…開口、１ａｄ…緩衝材、１ａｅ…緩衝材、１ａｆ…召し合わせ框（縦框）、１ａｆ１…指掛け部、１ａｐ…縦框、１ａｐ１…正面側指掛け部、１ａｐ２…背面側指掛け部、１ａｔ…上框、１ａｔ１…支持溝、１ａｔ２…上側軸、１ａｔ２１…フランジ部、１ｂ…上側案内レール、１ｂ１…ローラ、１ｂ２…支持ブロック、１ｂ３…支持軸、１ｃ…下側案内レール、１ｃ１…レール部、１ｄ…スライダー、１ｄ１…レール溝部、２…移動式間仕切り、２ａ…パネル、２ａｂ…下框、２ａｆ…召し合わせ框（縦框）、２ａｐ…縦框、２ａｔ…上框、２ｂ…上側案内レール、２ｃ…下側案内レール、３…移動式間仕切り、３ａ…パネル、３ａｂ…下框、３ａｆ…召し合わせ框（縦框）、３ａｐ…縦框、３ａｔ…上框、３ｂ…上側案内レール、３ｃ…下側案内レール、４…移動式間仕切り、４ａ…パネル、４ａｂ…下框、４ａｂ１…凹部、４ａｆ…召し合わせ框（縦框）、４ａｔ…上框、４ａｐ…縦框、４ａｐ１…縦框キャップ、４ｂ…上側案内レール、５…移動式間仕切り、５ａ…パネル、５ａ１…開き戸のパネル、５ａｂ…下框、５ａｆ…召し合わせ框（縦框）、５ａｐ…縦框、５ａｔ…上框、５ｂ…上側案内レール、５ｄ…収納案内レール、５ｄ１…移動案内レール、５ｄ２…収納部レール、５ａｓ…戸当たり框、５ａｓ１…側面指掛け部、５ａｐｔ…上框連結金具、５ａｐｂ…下框連結金具、５ａｐａ…支持軸、５ｂｒ…支持ローラ、１０…連結板、１０ａ…主体板、１０ｂ…抱持舌片、１０ｃ…抱持部、１０ｄ…収容舌片、１０ｅ…軸部材収容部、１０ｆ…のど部、１０ｇ…被抱持部、１０ｇ１…首部、１０ｇ２…係止突起、１０ｈ…抱持端部、１１…召し合わせ框キャップ、１１ａ…隙間防止材取付溝、１１ｂ…軸穴、１１ｃ…歯部、１１１…召し合わせ框キャップ、１１１ａ…外側平面、１１１ｂ…内側平面、１１１ｃ…歯部、１１１ｄ…傾斜面、１２…軸部材、１２ａ…台座部、１２ｂ…軸部、１２ｃ…連結板受け部、１２ｃ１…平板部、１２ｃ２…突出部、１２ｃ３…連結板受け面、１２ｄ…連繋部、１２ｅ…保持板、１３…隙間防止部材、１３ａ…舌片、１３ｂ…空間部、１４…隙間防止部材、１５…隙間防止部材、１６ａ…係合部、１６ａ１…係合球、１６ｂ…係合受け部、１６ｂ１…球体受容部、２０…ストッパ装置、２１…ホルダ部材、２１ａ…ガイド孔、２１ｂ…係止用切欠部、２１ｃ…凹部、２２…作動部材、２２ａ…ガイド柱、２２ｂ…バネ板部、２２ｃ…係止突起、２２ｄ…台板、２２ｅ…凹部、２３…係止ピン、２３ａ…ピン保持板、２４…ピン受けつぼ（ピン受け穴）、３０…ストッパ装置、３１…ホルダ部材、３１ａ…ガイド孔、３１ｂ…係止用切欠部、３１ｃ…凹部、３２…作動部材、３２ａ…ガイド柱、３２ｂ…バネ板部、３２ｃ…係止突起、３２ｄ…台板、３２ｅ…凹部、３３…係止ピン、４０…床ガイド、４０ａ…支持板部、４０ａ１…透孔、４０ｂ…係止部、４０ｂ１…緩衝材保持部、４０ｃ…緩衝材、４２…パネルガイド、４２ａ…支持腕部、４２ｂ…係止腕部、４２ｂ１…緩衝材保持部、４２ｃ…緩衝材、Ｆ…指先、Ｇａ…挟み込み防止間隙、Ｇｂ…間隙、Ｇｔ…間隙、Ｇｓ…間隙
【図１】
2020190177.tif 000003
【図２】
2020190177.tif 000004
【図３】
2020190177.tif 000005
【図４】
2020190177.tif 000006
【図５】
2020190177.tif 000007
【図６】
2020190177.tif 000008
【図７】
2020190177.tif 000009
【図８】
2020190177.tif 000010
【図９】
2020190177.tif 000011
【図１０】
2020190177.tif 000012
【図１１】
2020190177.tif 000013
【図１２】
2020190177.tif 000014
【図１３】
2020190177.tif 000015
【図１４】
2020190177.tif 000016
【図１５】
2020190177.tif 000017
【図１６】
2020190177.tif 000018
【図１７】
2020190177.tif 000019
【図１８】
2020190177.tif 000020
【図１９】
2020190177.tif 000021
【図２０】
2020190177.tif 000022
【図２１】
2020190177.tif 000023
【図２２】
2020190177.tif 000024
【図２３】
2020190177.tif 000025
【図２４】
2020190177.tif 000026
【図２５】
2020190177.tif 000027
【図２６】
2020190177.tif 000028
【図２７】
2020190177.tif 000029
【図２８】
2020190177.tif 000030
【図２９】
2020190177.tif 000031
【図３０】
2020190177.tif 000032
【図３１】
2020190177.tif 000033
【図３２】
2020190177.tif 000034
【図３３】
2020190177.tif 000035
【図３４】
2020190177.tif 000036
【図３５】
2020190177.tif 000037
【図３６】
2020190177.tif 000038
【図３７】
2020190177.tif 000039
【図３８】
2020190177.tif 000040
【図３９】
2020190177.tif 000041
【図４０】
2020190177.tif 000042
【図４１】
2020190177.tif 000043
【図４２】
2020190177.tif 000044
【図４３】
2020190177.tif 000045
【図４４】
2020190177.tif 000046